(57)【特許請求の範囲】
【請求項１】
シリンジ取り付け部のためのシリンジ受入部（６）を持つ反復式ピペットであって、シリンジピストンの取付部のためのピストン受入部を持つ受入部材（９）と、前記シリンジ受入部（６）から前記受入部材（９）を離反するよう移動させるためのピストン復帰手段（１０）と、前記受入部材（９）を、シリンジから吐出される液量に応じて移動量を一定にする各ステップにおいて前記ピストン受入部の方向に前進させるためのピストン前進手段（１３、１７、２２）と、調節要素（２７）を介して前記受入部材の移動量を一定にする各ステップの幅を調節するための第１規制要素（２４）とを備えており、第１ステップの幅を、以後の各ステップの幅のため前記調節要素（２７）の調節から独立した一定値に設定するための第２規制要素（２９）を設けたピペットにおいて、
前記ピストン前進手段（１３、１７、２２）が前記受入部材（９）に接続したラック（１３）と、作動要素（１７）と、これに弾性体で前記ラック（１３）に向かって付勢して旋回可能に取り付けた爪（２２）から成り、前記爪（２２）は前進方向（Ｖ）における前記作動要素（１７）の移動時にはラック（１３）の歯体（１４）に係合してラック（１３）を駆動し、また、作動要素（１７）の復帰方向（Ｒ）への移動時にはラック（１３）から離脱するよう構成され、更に、前記第１規制要素（２４）が、爪（２２）と前記歯体（１４）との係合を阻止するため前記調節要素（２７）によりラック（１３）に沿って移動するものであって、前記第２規制要素（２９）が、前記爪（２２）の前記ラック（１３）の歯体（１４）への係合を阻止する規制位置と前記爪（２２）の係合を可能にする解放位置との間を変位するようにした規制要素であり、この第２規制要素の規制位置への移動が受入部材（９）の復帰移動により行われ、一方、この第２規制要素の前記開放位置への移動は前記受入部材（９）の前進移動によって行われるようしており、また、前記受入部材（９）が完全に復帰しているとき、前記爪（２２）と前記作動要素（１７）の少なくとも一方の作動範囲に侵入し、且つ、作動範囲終端において前記作動要素（１７）と前記爪（２２）の少なくとも一方により前進方向（Ｖ）に押圧して前記受入部材（９）を駆動する接当要素（３４、３８）が、設けられていることを特徴とする反復式ピペット。
【請求項２】
前記の第２規制要素（２９）は、前記受入部材（９）の復帰移動時に押圧され旋回可能に取り付けた第１脚部（３０）と、前記第１脚部と直角であり前記爪（２２）による歯体（１４）への係合を規制するための規制面（３３）を含む第２脚部（３２）とを持つＬ字型レバ−体（２９）であり、また、前記受入部材（９）は、前記レバー体（２９）の前記規制面（３３）を前記規制位置へ回転させる支持面（１２、３６）を有するものである請求項１項記載の反復式ピペット。
【請求項３】
前記第１脚部（３０）が枢着軸（２８）により旋回可能に取り付けられており、また、前記規制面（３３）が前記第２脚部（３２）の内側面に形成されているものである請求項２項記載の反復式ピペット。
【請求項４】
前記第１脚部（３０）の底部の枢着部（２８）から離間した位置に、受入部材（９）の支持面（１２、３６）との係合のためのカム（３１）を設けたものである請求項２又は３項記載の反復式ピペット。
【請求項５】
前記接当要素（３４）が、前記規制位置において前記第２規制要素（２９）よりさらに突出して前記爪（２２）と接当する、前記ラック（１３）の突部（３４）である請求項１項記載の反復式ピペット。
【請求項６】
前記接当要素（３８）が、前記受入部材（９）から突出し前記作動要素（１７）の作動範囲に侵入するピン（３８）である請求項１項記載の反復式ピペット。
【請求項７】
前記規制要素（２９）が前記爪（２２）の作動範囲終端において、前記爪（２２）と前記歯体（１４）との係合を可能にするための凹部（３７）を有しているものである請求項１記載の反復式ピペット。
【請求項８】
前記作動要素（１７）が前進方向（Ｖ）での移動時前記ピン（３８）に係合するようなっており、また、前記爪（２２）がＶ方向での更なる移動時前記規制要素（２９）の規制面に設けられた凹部（３７）内の前記歯体（１４）と係合するよう構成したものである請求項６又は７記載の反復式ピペット。
【請求項９】
前記第２規制要素（２９）が、前記第１ステップ幅について前記受入部材（９）の前進を生じさせ且つ前記第１規制要素（２４）による前記爪（２２）の係合阻止時前記ピン（３８）に接当する前記作動要素（１７）の前進を生じさせ、更に、前記受入部材（９）を前記爪（２２）が前記第１規制要素（２４）近くのアクセス可能な歯体（１４）に係合する位置へ前進させるための、前進方向（Ｖ）において見られる前記爪（２２）と前記歯体（１４）における複数の歯との係合並びに前記爪（１４）と第１歯との係合を可能にする凹部（３７）を有しているものである請求項７記載の反復式ピペット。
【発明の詳細な説明】
【０００１】
【産業上の利用分野】
本発明は、反復式ピペットに関するものである。
【０００２】
【従来の技術】
このタイプの反復式ピペットは、ドイツ特許第２９２６６９１号から知られている。このピペットにおいてシリンジ受入部はピペットハウジングに設けたＵ字状溝から成り、シリンジフランジは側方のハウジング開口部からシリンジ受入部に挿入される。シリンジ受入部においてシリンジフランジは圧縮ばねにより吐出用開口部の方向へ押圧される。シリンジピストンには、クランプ手段により受入部材内へ固定されるようにした筒状の作動部を含んでいる。また、ピストン復帰手段は、側方のハウジングスロットを通って延びた受入部材のレバ−から構成されている。ピストンは、レバ−のシリンジフランジからの離反動作によりシリンジから突出する。また、ピストン前進手段は、ラック爪手段から成り、このラックは受入部材と接続されており、一方、爪は往復動可能な駆動レバ−に旋回可能に取り付けている。駆動レバ−をシリンジフランジ方向に回転させると、爪が捕まり、ラックとこれに接続されたピストンとを同じ方向に駆動する。また、爪を逆方向に回転させると、爪は鋸歯状歯体から離脱するので、ピストンの位置は変化しない。また、ステップ幅調節手段は回転つまみに結合された舌部を有し、この舌部は回転つまみの位置に応じて多かれ少なかれ歯体をカバ−する。従って、回転つまみの調節により、爪移動動作のうち、ピストン駆動のため爪が歯に係合する移動動作部分も併せて調節出来る。また、シリンジから供給される液量は前記の回転つまみを使って調節可能である。また、シリンジはシリンジ受入手段から或る程度の遊びを持って受け入れられる。更に、前記調節手段の操作にも遊びがある。
【０００３】
【発明が解決しようとする課題】
その結果、ピストンは第１の前進ステップにおいては、その後のステップとは違う距離だけ移動される。従って、この第１ステップで供給される液量は、以後のステップでの液量とは実質的に相違する。実際上、第１ステップで供給される液は、薬液投与の正確さを期するために捨てられるので、その結果、プロ−ブ液がロスすることになる。この問題は、比較的小さな第１ステップ幅を備えること、及びその幅を以後の各ステップでの所要値に調節することにより解決出来る。但し、そのためには煩雑な操作、取扱が必要となり、操作エラ−につながる。
【０００４】
【課題を解決するための手段】
而して本発明の目的は、プロ−ブ液のロスを最小にするとともに、操作取扱も極めてシンプルでありながら、正確な薬液調合を可能とする反復式ピペットを提供する点にある。
【０００５】
本発明に基づく前記目的の達成方法は特許請求の範囲第１項に記載した通りであり、発明の詳細は同項に従属する各特許請求の範囲に記載している。
【０００６】
本発明の反復式ピペットにおいては、第１ステップの幅を、受入部材復帰後ステップ幅設定値から独立してステップ幅調節手段により、一定値に設定する一定ステップ手段を設けている。第１前進ステップにおいて、ピストンは以後のステップにおける吐出量調節とは別の、一定の液量を吐出する。この第１ステップの幅は、ピストン移動方向を逆にした時に生じる遊びの影響が安全に解消され、且つ最少の液量が吐出されるような寸法で良い。例えば、第１ステップ幅は２ｍｍで良い。この方法により遊びを補償することで、以後のステップにおいて調節されるステップ幅に従い、極めて正確な液調合が可能となる。第１ステップにおいる最少液吐出は残りの各ステップでの最大液量につながり、つまりは、残りのステップ数が、ステップ幅調節に応じた、最大の数となる。従って、本発明の反復式ピペットは、ユ−ザ−による特別な取扱操作の必要無しに、正確な調合と、最大の調合回数を可能とする初めてのものである。
ピストン前進手段は、ドイツ特許第２９２６６９１号のラック・爪手段から構成することが好ましい。歯状の突起を持つロッド、即ち、ねじ付のロッドや周囲に歯を持つロッドなどを、ラックとして用いて良い。前記ドイツ特許によればステップ幅調節手段は、例えば舌状に形成しラックに沿って変位可能として、爪のラックとの係合を規制する規制要素により形成して良い。これらの態様に関連して、前記一定ステップ手段には、規制位置から解放位置まで移動可能な更に別の規制要素を設けても良い。この別の規制要素は、規制位置に在る時は、爪の係合を阻止し、解放位置にある時は、爪の係合を可能とする。また、この別の規制要素の移動は、受入部材の移動により制御される。受入部材が完全に復帰位置にある時は、前記の別の規制要素が規制位置に来るよう制御される。前記受入部材の前進によりこの別の規制要素を解放位置へ制御する。作動要素が復帰位置へ戻った後ピストン前進手段が作動されると、規制位置にある前記の別の規制要素が、まず、爪のラックとの係合を阻止する。但し、受入部材が完全に戻っており、第１ステップの終端部において受入部材が作動要素及び・または爪により前進方向に押される時受入部材に連結された接当要素が、爪及び・または作動要素の移動領域に侵入する。前記接当要素はこの受入部材を前進方向に駆動し、前記の別の規制要素を解放位置に動かす。これにより第１ステップの残りの部分及び・または更なるステップのための、爪とラックの係合が可能となる。
【０００７】
前記の別の規制要素はＬ字状レバ−体により形成することが好ましい。このレバ−体の第１脚部は枢軸的に取り付けられ、受入部材の末端の支持面と協働する。また、第２脚部は前記規制要素における規制面を含んでいる。前記受入部材は復帰する時前記第１脚部に対し押圧され、これにより、前記第２脚部が規制位置へ回転される。受入部材が完全に復帰すると、第２脚部が爪のラックとの係合を阻止する。受入部材が前進されると、その支持面が第１脚部を解放し、第２脚部が解放位置に戻る。これにより、受入部材の更なる前進のための爪の係合が可能となる。
【０００８】
前記第１脚部はその遊端近くで取り付けられ、また、規制面が第２脚部の内側面に形成されることが、好ましい。この場合爪は最少の間隔要件に基づき２つの脚部の内側近くに位置して良い。前記の別の規制要素の積極的な制御のために、第１脚部に該脚部の枢着位置から所定間隔をあけた位置にカムを設けてよい。このカムは受入部材の支持面と協働する。
【０００９】
接当要素はラック上の突部で構成し、規制位置において前記の別の規制要素を越えて延びるようにして良い。復帰動作後のピストン前進手段の第１作動手順において、爪は規制要素に沿って、この突部に到達するまで滑る。爪は、移動の終端部分においてこの突部並びにこれに接続された受入部材をラックを介して駆動する。この時、受入部材は前記の別の規制要素を解放位置に移動させる。
【００１０】
接当要素は受入部材から突出し、作動要素の移動範囲に侵入するピンで良い。復帰を完了した後ピストン前進手段がまず作動されると、爪が前記の別の規制要素を横切って滑り、作動要素が前記のピンに衝突する。作動要素は移動範囲の終端部分において前記ピンを介して受入部材を前進方向に押圧し、これにより、前記別の規制要素が解放位置に移動され、更なる前進移動のための爪の係合が可能となる。尚、受入部材が前記別の規制要素を、爪が第１前進ステップ時既にラックの特定の歯と係合しているように制御することが好ましい。これにより第１ステップはシリンジピストンの再生可能なスタ−ト位置と成り、可能な調合量の数値が、調節ステップ幅について認識される。爪と特定の歯との係合を可能とするため、規制要素の前進方向における爪移動の最終レンジに凹部を設けても良い。作動要素は前進方向での移動時、まず、前記ピンに衝突し、同方向での更なる移動の後、爪が規制要素の凹部内のラックの歯と係合する。原理上、前記凹部により解放される歯は、受入部材を前進させるための唯一の接当要素であり得る。
【００１１】
受入部材の前進が凹部内の歯との爪の係合により生じる場合、変位可能な規制要素が、小さなステップ幅設定のため爪係合を阻止するようしても良い。これは複数の歯が凹部内にあり、完全な一定ステップ幅に従って受入部材の移動を制御するというケ−スでは、正しいことである。爪が凹部内での係合に成功しない場合、作動要素が前記ピンに衝突し、受入部材を少なくとも爪が規制要素近傍でアクセス可能な歯に係合する位置まで前進させ、これにより、一定ステップ幅を維持するようにして良い。これにより、任意の調合量での以後の調合ステップのための所定のピストン位置を達成することが確保される。
【００１２】
【実施例】
本発明の更なる詳細並びに利点は、望ましい実施例を示した添付図面に基づく以下の説明により更に明確となろう。
第１図に示した反復式ピペットは、取っ手として形成された中央部（２）と、脚部（３）と、指掛け用のくぼみ（５）を持つ頭部（４）とを備えたハウジング（１）を有している。脚部（３）には、Ｕ字状溝として形成され（図において）ハウジング（１）の右側に向かって開いている、シリンジ（図示せず）のフランジのためのシリンジ受入部（６）を設けている。更に、脚部（３）には、シリンジ本体のための貫通開口部（７）を設けている。
【００１３】
前記中央部（２）は、シリンジにおけるピストンの作動端部のための受入部材（９）を摺動状に受け入れるガイド（８）を有する。また、前記受入部材（９）には、図示していないが、受入部材（９）内に挿入されたシリンジピストン作動端部を固定するためのクランプ装置を有している。
更に、前記受入部材（９）には、ハウジング右側のスロット（１１）から伸びる復帰レバ−（１０）を有する。
【００１４】
前記受入部材（９）は前記受入部（６）から遠い側の支持面（１２）において前記中央部（２）を通ってハウジング（１）の頭部（４）まで延びたラック（１３）を支持している。前記ラック（１３）は右側に鋸歯状歯体（１４）を有しておりこの歯体（１４）における勾配の急な方の側面は前記頭部（４）に面している。つまり、歯体（１４）は、爪（２２）が下方に移動するとき係合し、上方に移動するとき係合しないように、上部の面を下部より勾配を大きくしている。
また、前記頭部（４）内には、作動レバ−（１７）を、ハウジング左側形成部（１６）における軸（１５）に旋回可能に取り付けており、この作動レバ−（１７）は、ハウジング（１）における逆の側のスロット（１８）から突出する作動端部を有している。また、作動レバ−（１７）のピン（１９）と、ハウジング内壁の間には、作動レバ−（１７）をハウジング頭部（４）方向に押圧する脚バネ（２０）を設けている。
【００１５】
またラック（１３）の右側には、爪（２２）を前記とは別の軸（２１）を介して前記作動レバ−（１７）に旋回可能に取り付けている。この爪（２２）は第１図に示した通り、歯体（１４）に係合する係合端部を有する。前記爪（２２）は該爪（２２）と前記作動レバ−（１７）とに支持された前記とは別の脚バネ（２３）により、ラック（１３）方向に押圧される。
【００１６】
更に、舌体（２４）から成る規制要素を前記頭部（４）内に配設している。前記舌体（２４）は歯体（１４）の一部を被い、前記歯体（１４）に沿って変位可能である。前述の変位を目的として前記舌体（２４）は、ラック（１３）から遠ざかる側の端部近くに、ピン（２５）を有しており、このピン（２５）は、ハウジング頭部（４）内に取り付けた回転つまみ（２７）における円弧状のガイド（２６）に係合している。従って、ハウジング（１）における舌体（２４）の位置と、舌体（２４）が歯体（１４）を被う長さは前記回転つまみ（２７）の調節により変更可能である。
【００１７】
以上の各コンポ−ネントは図示した実施例すべてに設けており、これら各コンポ−ネントが前記ドイツ特許第２９２６６９１号の実施例と同様のものであることを前提として、このドイツ特許の実施例の開示を、参考用として本書に含んでいる。而して以下では、各実施例において相違する態様を説明する。
【００１８】
第１図に示した通り、Ｌ字形レバ−体（２９）は、枢着軸（２８）に旋回可能に取り付けた第１脚部（３０）を有しており、前記脚部（３０）は前記受入部材（９）に面する側において、該脚部（３０）の取付側から遠い方の端部にカム（３１）を有する。また、第２脚部（３２）には、前記爪（２２）に面する側に規制面（３３）を有している。前記爪（２２）は、前記したレバー体（２９）の２本の脚部（３０、３２）の内側近くに配置している。ハウジング（１）に抗するよう支持されたバネ（図示せず）により、レバ−体（２９）は反時計回りに押圧されている。更に、前記ラック（１３）の前記受入部材（９）に隣接する端部に、前記歯体（１４）以上の高さの突部（３４）を設けている。而して、この反復式ピペットは以下の如く操作する。
【００１９】
シリンジは、フランジ部をシリンジ受入部（６）に挿入するとともに、本体を前記貫通開口部（７）に、更に、作動端部を前記受入部材（９）に挿入する。前記受入部（６）内においてシリンジは、板バネ（図示せず）により、液吐出側端部方向に押圧されると共に、前記受入部材（９）内でクランプ固定される。尚、使用するシリンジは、既に液が注入された状態か、もしくは、未注入のもの、即ち、ピストンが完全に突出しているか、または、引っ込んでいる状態の、いづれでも良い。シリンジが液注入済状態の場合は、本装置への挿入に先立ち、前記受入部材（９）を、復帰レバ−（１０）を介して、Ｒ方向に戻す。また、液未注入の状態で本装置に挿入される場合シリンジは、復帰レバ−（１０）が戻される時、液を引き込む。
【００２０】
前記受入部材（９）が既に完全に戻されていて、従って、ピストンもシリンジから引き出されている場合、この反復式ピペットは、液吐出の準備完了状態である。第２図には、この位置に在る前記受入部材（９）を示している。この位置において、支持面（１２）が前記レバ−体（２９）のカム（３１）に対して押圧される。その結果、レバ−体（２９）は僅かに時計方向に回転され、これにより、第２脚部（３２）はラック（１３）と平行になり、規制面（３３）は前記ラックの歯体（１４）以上に右側に位置し、歯体（１４）を隠す。而して、まず最初の時計方向の作動により作動レバー（１７）は、爪（２２）及びその作動端部を、前記規制面（３３）に沿って移動させる。従って、この移動の場合前記爪（２２）と歯体（１４）との係合は生じない。その結果、受入部材（９）と、シリンジピストンはＶ方向において変位しない。尚、第２図に示した位置において、爪（２２）は突部（３４）に達している。
【００２１】
そして、前記作動レバ−（１７）の回動により爪（２２）を引き続き前進させると、突部（３４）が前進方向（Ｖ方向）に移動される。第３図に示した通り、受入部材（９）もこのＶ方向に移動される。また、レバ−体（２９）は、バネ押圧される爪（２２）または独自のバネにより反時計方向に回転されるので、カム（３１）を前記支持面（１２）に追随させる。その結果、規制面（３３）がラック（１３）の歯体（１４）を解放する。この第１の、前進ステップは爪（２２）が静止状接当体（３５）に係合する時点で、終了する。
【００２２】
その後、作動レバ−（１７）はバネ（２０）を介して復帰方向（Ｒ方向）へ逆回転される。レバ−（１７）作動に追随して前記爪（２２）は、バネ（２３）により、解放された歯体領域に到達するとすぐに、歯体（１４）に係合し、ラック（１３）を前記Ｖ方向に変位させる。従って、吐出される液量は、以後の吐出操作においてもすべて回転つまみ（２７）の設定のみにより決定される。つまり、第１ステップで爪（２２）を一旦歯体（１４）に係合させて移動させることにより、舌体（２４）から最初に露出する歯体（１４）の位置を一定にすることができ、第２ステップを第３ステップ以降と同じ条件にできるためである。尚、第１図には、直前に行われた液調合ステップの１つを示している。
また、第４〜７図の実施例においても、ラック（１３）の右側で枢着軸（２８）に取り付けた第１脚部（３０）を有するＬ字形レバ−体（２９）を設ける。前記第１脚部（３０）は該脚部（３０）と平行で前記軸（２８）から離間したカム（３１）を設けている。このカム（３１）は、第４図に示したように、ラック（１３）に平行な、受入部材（９）の支持面（３６）に係合する。
【００２３】
前記第１脚部（３０）近傍において、前記レバ−体（２９）の第２脚部（３２）は、該脚部（３２）の約半分の長さの凹部（３７）を有している。また、この凹部（３７）に隣接して、前記脚部（３２）は前記爪（２２）に面する規制面（３３）を有している。また、前記レバ−体（２９）は、前記爪（２２）と、ハウジング（１）に支持された脚バネ（３９）とにより反時計回りに作動される。
【００２４】
また、前記受入部材（９）は作動レバ−（１７）の動作範囲内に延びているピン（３８）を設けている。このように構成された反復式ピペットは下記の如く操作される。
まず、受入部材（９）を復帰レバ−（１０）により復帰方向（Ｒ方向）に、第４図に示した位置まで移動させる。これにより前記支持面（３６）がカム（３１）を押圧して、レバ−体（２９）を時計方向に、図示した位置まで回転させる。この状態で規制面（３３）は歯体（１４）以上に右側に位置している。そして、作動レバ−（１７）を前進方向（Ｖ方向）に作動させると、爪（２２）が規制面（３３）上を滑って横切り、この規制面（３３）により、歯体（１４）への係合が阻止される。
【００２５】
第５図に示したように、作動レバ−（１７）は前述の第１の作動手順で前記ピン（３８）に到達する。一方、爪（２２）はこの時点ではまだ歯体（１４）に係合しない。
第６図には作動レバ−（１７）が前進方向Ｖにおいて更に作動される時、前記ピン（３８）と受入部材（９）を前進させる状態を示している。バネで押圧される前記レバ−体（２９）は逆方向に、反時計回りに回転され、歯体（１４）を解放する。これにより、爪（２２）は歯体（１４）の第１歯と正確に係合する。
【００２６】
第７図には、前記の結果として、ラック（１３）とこれに接続された受入部材（９）が、爪（２２）の静止状接当体（３５）との係合によって決まる位置へ正確に前進させられる状態を示している。前記爪（２２）は、前記ピン（３８）に作用する作動レバ−（１７）の接触領域よりも大きい円弧に沿って、軸（１５）を中心に案内される。その結果として、前記作動レバ−（１７）はその第１作動の終端において、もはや、ピン（３８）とは係合せず、前記受入部材（９）の前進運動が爪（２２）と歯体（１４）との係合のみにより、決定される。
【００２７】
引き続く調合操作のために、作動レバ−（１７）は反時計方向に逆回転される。このレバ−（１７）の作動に従い、爪（２２）は、まず、舌体（２４）により歯体との係合を阻止される。爪（２２）は歯体（１４）における自由に接近可能な部位に到達するとすぐに、係合状態になり、ラック（１３）をＶ方向に前進させる。従って、液の吐出量は、舌体（２４）の設定のみにより決定される。
【００２８】
また、第８〜１４図の実施例では、第４図の実施例と異なり、レバ−体（２９）の第２脚部（３２）方向へ更に寸法を延ばした凹部（３７）を有しており、前記凹部（３７）は規制面（３３）に隣接する歯体（１４）における４個の歯を解放するようになっている。而してこの実施例は、下記のように操作される。
まず、第８〜１０図に基づき、比較的多めの調合量を設定し得る実施例を説明する。この場合、舌体（２４）は、爪（２２）との係合のため、歯体（１４）のかなりの部分を解放する。
【００２９】
第８図では第１作動以前の状態のピペットを示しており、この場合受入部材（９）は完全にＲ方向に復帰している。作動レバ−（１７）を時計方向に回転させると、まず、爪（２２）が規制面（３３）により、歯体係合を阻止される。作動レバ−が第９図に示した回転位置に到達すると、爪（２２）は前記凹部（３７）内で歯体（１４）に係合する。これと同時に、ピン（３８）が作動レバ−（１７）と係合状態になる。この実施例においては、凹部（３７）内で自由に接近可能な、せいぜい４個の歯がある。０．５ｍｍの歯間隔であれば、２ｍｍの一定なステップ幅が達成される。
【００３０】
作動レバ−（１７）を更に回転させると、爪（２２）がラック（１３）を前進方向Ｖに駆動する。これにより、バネ押圧されるレバ−体（２９）が反時計回りに歯体（１４）から離れるように回転される。この第１の前進ステップは、爪（２２）が静止状接当体（３５）に係合する時点で第１０図に示した位置で終了する。
【００３１】
作動レバ−（１７）が反時計回りに回転された後、規制舌体（２４）の位置が比較的早期の爪係合と多めの調合量を備える上で有効である状態の下で、液調合操作が行える。
また、第１１図〜１４図は極めて少量の調合に適した本発明ピペットを示しており、舌体（２４）は相当な範囲まで歯体（１４）を横切って前進させている。図１１では凹部（３７）の中まで舌体（２４）を進出させている。この場合、受入部材（９）が第１１図のように完全に復帰している場合は、レバ−体（２９）の凹部（３７）内の舌体（２４）は、ただ１つの歯だけを解放する。その結果、爪（２２）は、まず規制面（３３）によって、歯体係合を阻止され、その後、舌体（２４）によって歯体係合を規制される。尚、第１２図では、作動レバ−（１７）は既に、ピン（３８）に到達しており、前進方向Ｖにラック（１３）を駆動する。
【００３２】
第１３図に示したように、最終的に爪（２２）は最後の歯と係合し、ラック（１３）を前進させる。この第１前進ステップは、第１４図のように爪（２２）が接当体（３５）に衝突する時に、終了する。尚、これに先立ち、作動レバ−（１７）はピン（３８）から解放されている。
受入部材（９）が変位することにより、レバ−体（２９）は、この場合も、反時計回りに回転される。そして引き続く薬液調合操作のために、舌体（２４）は、一歯分の前進ストロ−クに従っての液の少量のみの吐出を可能にする。
【図面の簡単な説明】
【図１】  調節可能なピストン前進ステップにおける一定ステップ手段の接当要素としてラックに突部を設けた反復式ピペットの縦断面図である。
【図２】  一定ステップ手段を含んだ、一定前進ステップにおける図１の反復式ピペットの部分断面である。
【図３】  一定前進ステップ終端における前記ピペットの図２同様の部分断面図である。
【図４】  一定ステップ手段を含み、接当ピンとレバ−体に凹部を備えた反復式ピペットの操作冒頭部分の部分断面図である。
【図５】  一定ステップ手段を含み、接当ピンとレバ−凹部を備えた反復式ピペットのピンが係合した状態の部分断面図である。
【図６】  一定ステップ手段を含み、接当ピンとレバ−凹部を備えた反復式ピペットの爪が歯体に係合した状態の部分断面図である。
【図７】  一定ステップ手段を含み、接当ピンとレバ−凹部を備えた反復式ピペットの一定前進ステップ終端の部分断面図である。
【図８】  一定ステップ手段を含み、増大ステップ幅設定を持つ反復式ピペットの操作冒頭部分の部分断面図である。
【図９】  一定ステップ手段を含み、増大ステップ幅設定を持つ反復式ピペットのピン及び爪が係合した状態の部分断面図である。
【図１０】  一定ステップ手段を含み、増大ステップ幅設定を持つ反復式ピペットの一定前進ステップ終端の部分断面図である。
【図１１】  減少ステップ幅設定を持つ図８乃至図１０と同様の反復式ピペットの操作冒頭部分の部分断面図である。
【図１２】  減少ステップ幅設定を持つ図８乃至図１０と同様の反復式ピペットのピンが係合した状態の部分断面図である。
【図１３】  減少ステップ幅設定を持つ図８乃至図１０と同様の反復式ピペットの爪が歯体に係合した状態の部分断面図である。
【図１４】  減少ステップ幅設定を持つ図８乃至図１０と同様の反復式ピペットの一定前進ステップ終端の部分断面図である。
【符号の説明】
１    ハウジング
２    ハウジング中央部
３    ハウジング脚部
４    ハウジング頭部
５    指掛け用くぼみ
６    シリンジ受入部
７    貫通開口部
８    ガイド
９    受入部材
１０  復帰レバ−
１１  スロット
１２  支持面
１３  ラック
１４  鋸歯状歯体
１５  軸
１６  ハウジング左側形成部
１７  作動レバ−
１８  スロット
１９  ピン
２０  脚バネ
２１  軸
２２  爪
２３  脚バネ
２４  舌体
２５  ピン
２６  円弧状ガイド
２７  回転つまみ
２８  枢着軸
２９  Ｌ字状レバ−体
３０  第１脚部
３２  第２脚部
３３  規制面
３５  静止状接当体
【図１】
0003673927.tif 000002
【図２】
0003673927.tif 000003
【図３】
0003673927.tif 000004
【図４】
0003673927.tif 000005
【図５】
0003673927.tif 000006
【図６】
0003673927.tif 000007
【図７】
0003673927.tif 000008
【図８】
0003673927.tif 000009
【図９】
0003673927.tif 000010
【図１０】
0003673927.tif 000011
【図１１】
0003673927.tif 000012
【図１２】
0003673927.tif 000013
【図１３】
0003673927.tif 000014
【図１４】
0003673927.tif 000015